(57)【要約】      （修正有）【課題】ＩＣタグラベルなどの粘着ラベルを物品などの被着物に貼付させた後、再度、剥離させる必要がある場合には、簡単に被着物から粘着ラベルを剥離できるようにした粘着ラベルを提供する。【解決手段】裏面に粘着剤層３が設けられた基材シート４と、該粘着剤層の離面に剥離可能に剥離シート２が貼付されている粘着ラベルであって、前記粘着剤層は、粘着剤３ａと、該粘着剤に混入された圧力で破壊されるマイクロカプセルとにより形成され、前記マイクロカプセル内には剥離剤が包含されており、更に、前記基材シート上に、ＩＣチップ５とアンテナ６とが接続されたインレット７が設けられ、前記インレットの上側に、裏面に粘着剤層９が設けられた上側シート１０が重ねられ、前記インレットと前記上側シートとが前記粘着剤層により接着されている。【選択図】図２
2008292873.tif 000002
【特許請求の範囲】
【請求項１】
裏面に粘着剤層が設けられた基材シートと、該粘着剤層の離面に剥離可能に剥離シートが貼付されている粘着ラベルであって、
前記粘着剤層は、粘着剤と、該粘着剤に混入された圧力で破壊されるマイクロカプセルとにより形成され、前記マイクロカプセル内には剥離剤が包含されていることを特徴とする粘着ラベル。
【請求項２】
前記剥離剤は、炭素水素と界面活性剤とからなることを特徴とする請求項１記載の粘着ラベル。
【請求項３】
前記マイクロカプセルは、合成高分子よりなることを特徴とする請求項１記載の粘着ラベル。
【請求項４】
前記基材シート上に、ＩＣチップとアンテナとが接続されたインレットが設けられ、前記インレットの上側に、裏面に粘着剤層が設けられた上側シートが重ねられ、前記インレットと前記上側シートとが前記粘着剤層により接着されていることを特徴とする請求項１記載の粘着ラベル。
【発明の詳細な説明】
【技術分野】
【０００１】
本発明は、裏面に粘着剤層が設けられた基材シートと、該粘着剤層の表面に剥離可能に剥離シートが貼付されている粘着ラベルに関する。
【背景技術】
【０００２】
裏面に粘着剤層が設けられた基材シートと、該粘着剤層の表面に剥離可能に剥離シートが貼付されている粘着ラベルは、従来から物品などに対して必要に応じてシールを貼付する際に用いられている。
また、近年において、粘着ラベルの中でも、ＩＣチップとアンテナが接続されたインレットを有するＩＣタグラベルは、情報管理を行う物品に貼付させた後に、リーダライタを介して所望の情報の書き込みをして記憶させ、また必要に応じて、記憶されている情報の読み取りを繰り返して行えることから、運送や流通、販売管理、工場工程管理、商品の配送や荷物の取り扱いなどの広い分野で利用されており、更に将来的にも使用用途が広がる可能性を有している。
これらの粘着ラベルは、既に種々の技術が特許出願されている。（例えば、特許文献１〜７、参照）
【０００３】
【特許文献１】特開平１１−１３４４６０号公報
【特許文献２】特開２００２−４０９４２号公報
【特許文献３】特開２００３−４４８０３号公報
【特許文献４】特開２００５−７８１７２号公報
【特許文献５】特開２００５−２８４３３２号公報
【特許文献６】特開２００５−３３８５６３号公報
【特許文献７】特開２００６−３０１９００号公報
【０００４】
しかしながら、このようなＩＣタグラベルなどの粘着ラベルは、基材シートの裏面に設けられている粘着剤層により、ＩＣタグラベルを物品などの被着物に貼付した後には、簡単にＩＣタグラベルを剥離することができないという問題がある。
また、剥離しやすくするために、基材シートの裏面に設けられている粘着剤層の接着力を小さくした場合には、被着物に貼付したＩＣタグラベルが途中で剥離して落ちてしまうという危険性があるという問題がある。
【発明の開示】
【発明が解決しようとする課題】
【０００５】
そこで、本発明は、ＩＣタグラベルなどの粘着ラベルを物品などの被着物に貼付させた後、再度、剥離させる必要がある場合には、簡単に被着物から粘着ラベルを剥離できるようにした粘着ラベルを提供する。
【課題を解決するための手段】
【０００６】
本発明の粘着ラベルは、裏面に粘着剤層が設けられた基材シートと、該粘着剤層の離面に剥離可能に剥離シートが貼付されている粘着ラベルであって、前記粘着剤層は、粘着剤と、該粘着剤に混入された圧力で破壊されるマイクロカプセルとにより形成され、前記マイクロカプセル内には剥離剤が包含されていることを特徴とする。
【０００７】
また、本発明の粘着ラベルは、前記剥離剤は、炭素水素と界面活性剤とからなることを特徴とする。
【０００８】
更に、本発明の粘着ラベルは、前記マイクロカプセルは、合成高分子よりなることを特徴とする。
【０００９】
また、本発明の粘着ラベルは、前記基材シート上に、ＩＣチップとアンテナとが接続されたインレットが設けられ、前記インレットの上側に、裏面に粘着剤層が設けられた上側シートが重ねられ、前記インレットと前記上側シートとが前記粘着剤層により接着されていることを特徴とする。
【発明の効果】
【００１０】
本発明の粘着ラベルは、被着物に貼付した粘着ラベルを剥離させたい場合には、粘着ラベル上から圧力を加えるだけで、破壊されたマイクロカプセル内から剥離剤がしみ出して、粘着剤の接着力を弱めることができるので、ＩＣタグラベルなどの粘着ラベルを物品などの被着物に貼付させた後、再度、剥離させる必要がある場合には、簡単に被着物から粘着ラベルを剥離できるという効果がある。
【発明を実施するための最良の形態】
【００１１】
以下、本発明の実施形態に係る粘着ラベルを、図面に基づいて詳細に説明する。
図１には、実施形態に係る粘着ラベルとしてＩＣタグラベル１の平面図が示されている。
図１に示すように、このＩＣタグラベル１は、帯状の剥離シート２上に複数の単位ＩＣタグラベルが、等間隔で連続して設けられ、また、図２には、実施形態に係る粘着ラベルとしてＩＣタグラベル１の断面図が示されている。
【００１２】
図２に示すように、ＩＣタグラベル１は、裏面に粘着剤層３が設けられた基材シート４と、該粘着剤層３の裏面に剥離可能に剥離シート２が貼付され、基材シート４上には、ＩＣチップ５とアンテナ６とが接続されたインレット７が接着剤層８により接着されて設けられている。
また、インレット７の上側に、裏面に粘着剤層９が設けられた上側シート１０が重ねられ、インレット７と上側シート１０とが、上側シート１０の裏面に設けられた粘着剤層９により接着されている。
【００１３】
図３に示すように、ＩＣチップ５とアンテナ６とが接続されたインレット７は、インレット７のベースフィルム上にアンテナコイルを形成し、アンテナコイルの両端部６ａ，６ｂにＩＣチップ５が装着されている。
そして、外側に位置するアンテナコイルの端部が、ベースフィルムの裏面に設けられた導通部材１１と接続され、更に導通部材１１の他方の端部が、ＩＣチップ５に接続するコイルと接続されている。
【００１４】
次に、基材シート４の裏面に設けられた粘着剤層３について説明する。
粘着剤層３は、粘着剤３ａと、該粘着剤３ａに混入された圧力で破壊されるマイクロカプセル３ｂとにより形成され、そのマイクロカプセル３ｂ内には剥離剤３ｃが包含されている。
図４には、剥離剤３ｃが包含されているマイクロカプセル３ｂが示されている。
マイクロカプセル３ｂは、合成高分子よりなり、剥離剤３ｃは、炭素水素と界面活性剤とからなる。
そして、マイクロカプセル３ｂは、例えばＩＣタグラベル１を粘着剤層３により物品などに被着させた後に、被着物から剥離させたい場合に、上方から叩いたり、擦るなどして加圧することで、マイクロカプセル３ｂが破壊されて、マイクロカプセル３ｂ内に包含されている剥離剤３ｃがしみだして、粘着剤３ａの接着力を低下させ、剥離可能となるようにしてある。
【００１５】
図５乃至図７には、物品１２に被着させたＩＣタグラベル１を剥離させるまでの状態が示されている。
ＩＣタグラベル１を物品１２に被着させる場合には、剥離シート２を剥離させた後に、図５に示すように、基材シート４の裏面に設けられている粘着剤層３の粘着剤３ａの粘着力により、物品１２に貼り付ける。
この状態で、物品１２と共に移動するＩＣタグラベル１を用いて、リーダライタを使用して、ＩＣから情報の読み取りを行ったり、ＩＣへの情報の書き込み処理を行う。
【００１６】
そして、ＩＣタグラベル１を用いた処理が終了して、ＩＣタグラベル１が不要となり、その物品１２の所有者がＩＣタグラベル１を物品１２から剥離させたいと思う場合には、図６に示すように、物品１２に被着しているＩＣタグラベル１の上方から叩いたり、擦るなどして加圧する。
マイクロカプセル３ｂは、その加圧により破壊されて、マイクロカプセル３ｂ内に包含されている剥離剤３ｃがしみだして、粘着剤３ａに混入することで、粘着剤３ａの接着力を低下させることができる。
また、物品などに被着させたＩＣタグラベル１は、物品と共に移動している途中においてはＩＣタグラベル１が不用意に剥離して紛失しないようにしなければならないが、その使用目的が終了した後、使用者が、物品からＩＣタグラベル１を剥離させたい場合には、予め設定した圧力以上で加圧することで、マイクロカプセル３ｂが破壊されるようにすることが可能とする必要がある。
上記の条件を達成するために、マイクロカプセル３ｂが破壊される圧力を１００Ｎ/ｃｍ2以上とすることが好ましい。
【００１７】
そして、粘着剤３ａに剥離剤３ｃが混入して、粘着剤３ａの接着力が低下した後に、図７に示すように、基材シート４からめくり上げることで、ＩＣタグラベル１を物品１２から剥離させる。
【００１８】
次に、剥離剤３ｃをマイクロカプセル化する方法について説明する。
マイクロカプセル化の方法としては、真空蒸着法、静電合体法、噴霧造粒法、気中懸濁法等の物理的・機械的手法による方法や、界面重合法、ｉｎ−ｓｉｔｕ重合法、コンプレックスコアセルベーション法、有機溶剤系からの相離法、液中乾燥によるマイクロカプセル化法、融解分散冷却法によるマイクロカプセル化、液中硬化被膜マイクロカプセル化法等の物理化学方法及び化学的方法によりマイクロカプセル化する方法などがある。
【００１９】
上記のマイクロカプセル化において、物理的・機械的手法による方法では、壁膜材として、でん粉、ポリビニルピロリドン、カルボキシメチルセルロース、ゼラチン、アラビアゴム、メチルセルロース、ヒドロキシエチルセルロース、ポリビニルアルコール、ポリアクリル酸等の水溶性物質、セルロースアセテート、エチルセルロース、ポリメタクリレート、ポリアミド、ポリエチレン、ニトロセルロース、シリコーン等の非水溶性物質、、ステアリン酸、パルミチン酸、グリセリルステアレート等のワックス類等を用いてマイクロカプセル化を行う。
【００２０】
また、物理化学的方法及び化学的方法による方法では、ポリエステル、ポリウレタン、ポリアミド、ポリスルフォンアミド、エポキシ化合物、ポリスンフォネート、ポリカーボネート、ポリオール、ポリイソシアネート、ポリアクリル酸、アクリレート化合物、ポリアミン、ポリサルファイド、尿酸、ゼラチン、ゴム、エチルセルロース、フェノール樹脂、マレイン酸樹脂、ポリ塩化ビニル、ポリアクリル酸塩、ワックス、脂肪酸、ポリエチレン、ポリビニルアルコール等を用いてマイクロカプセル化を行う。
【００２１】
（実施例）
本発明の実施形態に係るＩＣタグラベル１からなる粘着ラベルに関して、基材シート４の裏面に設けられている粘着剤層３の粘着力について、マイクロカプセル３ｂを破壊する前の粘着力と、マイクロカプセル３ｂを加圧させて、マイクロカプセル３ｂを破壊させた後における粘着力の比較試験を行ったところ次のような結果となった。
【００２２】
マイクロカプセル３ｂを破壊する前における粘着力として、ＪＩＳ  Ｚ  ０２３７の試験方法による粘着力（１８０度引き剥がし粘着力）が、５００〜２０００ｇ/２５ｍｍ（ＳＵＳ）であった場合に、これに２００Ｎ/ｃｍ2の加圧を行ったところ、マイクロカプセル３ｂが破壊された後において、５〜１００ｇ/２５ｍｍ（ＳＵＳ）の粘着力となった。
これにより、基材シート４は、被着物である物品から剥離させることが可能となった。
【００２３】
以上のように、本発明の粘着ラベルは、そのラベルが不要となった場合にだけ、加圧させることで、いつでも簡単に被着物から剥離させて取り除くことができる。
【図面の簡単な説明】
【００２４】
【図１】本発明の実施形態に係る粘着ラベルであるＩＣタグラベルの平面図である。
【図２】本発明の実施形態に係る粘着ラベルであるＩＣタグラベルの断面図である。
【図３】本発明の実施形態に係る粘着ラベルであるＩＣタグラベルに用いられるインレットの平面図である。
【図４】本発明の実施形態に係る粘着ラベルであるＩＣタグラベルに用いられるマイクロカプセルの断面図である。
【図５】本発明の実施形態に係る粘着ラベルであるＩＣタグラベルを物品に貼付させた場合において、粘着剤層により基材シートが物品に貼付されている状態を示す部分断面図である。
【図６】本発明の実施形態に係る粘着ラベルであるＩＣタグラベルを物品に貼付させた場合において、基材シートの裏面に設けられた粘着剤層を加圧した状態を示す断面図である。
【図７】本発明の実施形態に係る粘着ラベルであるＩＣタグラベルを物品に貼付させた場合において、基材シートを物品から剥離させる状態を示す断面図である。
【符号の説明】
【００２５】
１  ＩＣタグラベル
２  剥離シート
３，９  粘着剤層
３ａ  粘着剤
３ｂ  マイクロカプセル
３ｃ  剥離剤
４  基材シート
５  ＩＣチップ
６  アンテナ
６ａ，６ｂ  アンテナコイル
７  インレット
８  接着剤層
１０  上側シート
１１  導通部材
１２  物品
【図１】
2008292873.tif 000003
【図２】
2008292873.tif 000004
【図３】
2008292873.tif 000005
【図４】
2008292873.tif 000006
【図５】
2008292873.tif 000007
【図６】
2008292873.tif 000008
【図７】
2008292873.tif 000009